(57)【要約】【課題】        電子ペーパーデバイスに表示する画像情報に対して表示を可能にする有効期限（表示期間または表示終了時刻）を設定することで、情報漏洩の危険性を低減すること。【解決手段】    入力されたデータを画像処理する画像処理デバイスと、画像処理デバイスにより画像処理された画像データを表示する表示デバイスと、を含む情報処理システムにおいて、画像処理デバイスは、画像データを前記表示デバイスに対して送信する場合に、当該画像データの表示期限を制御するための情報を、当該画像データに設定する設定部と、設定された表示期限を制御するための情報と画像データとを表示デバイスに送信する送信部と備え、表示デバイスは、送信部により送信された表示期限を制御するための情報に基づき、送信された画像データの表示期限を管理する管理部と、管理部により表示期限に到ったと判定された場合、記画像データの基づく表示を消去する表示制御部とを備えることを特徴とする。【選択図】  図１
2007122377.tif 000002
【特許請求の範囲】
【請求項１】
入力されたデータを画像処理する画像処理デバイスと、当該画像処理デバイスにより画像処理された画像データを表示する表示デバイスと、を含む情報処理システムであって、
前記画像処理デバイスは、
前記画像データを前記表示デバイスに対して送信する場合に、当該画像データの表示期限を制御するための情報を、当該画像データに設定する設定手段と、
前記設定手段により設定された前記表示期限を制御するための情報と、前記画像データとを前記表示デバイスに送信する送信手段と備え、
前記表示デバイスは、
前記送信手段により送信された前記表示期限を制御するための情報に基づき、前記送信された画像データの表示期限を管理する管理手段と、
前記管理手段により前記表示期限に到ったと判定された場合、前記画像データの基づく表示を消去する表示制御手段と
を備えることを特徴とする情報処理システム。
【請求項２】
前記表示デバイスは、
前記送信手段から送信された前記画像データを格納する格納手段と、
前記管理手段により前記表示期限に到ったと判定された場合、前記画像データを前記格納手段から消去する画像データ消去手段と、を更に備えることを特徴とする請求項１に記載の情報処理システム。
【請求項３】
前記表示デバイスは、
前記画像データの表示期限を制御するための情報と認証情報を入力するための入力手段と、
前記認証情報が正しいか否かを判定する認証処理手段と、を更に備え、
前記入力手段により入力された前記認証情報が正しいと前記認証処理手段により判定された場合、前記管理手段は、前記入力手段により入力された前記画像データの表示期限を制御するための情報に基づき、前記画像処理デバイスから送信される画像データの表示期限を管理すること
を特徴とする請求項１または２に記載の情報処理システム。
【請求項４】
入力されたデータを画像処理する画像処理デバイスと、当該画像処理デバイスにより画像処理された画像データを表示する表示デバイスと、を含む情報処理システムであって、
前記画像処理デバイスは、
前記画像データを前記表示デバイスに対して送信する場合に、当該画像データを特定するための特定情報を生成する特定情報生成手段と、
前記特定情報生成手段により生成された特定情報と、前記画像データとを前記表示デバイスに送信する送信手段とを備え、
前記表示デバイスは、
前記送信手段により送信された前記特定情報と、前記画像データとを格納する格納手段と、
前記画像データに基づき画像を表示する表示制御手段と
を備えることを特徴とする情報処理システム。
【請求項５】
前記画像処理デバイスは、
前記送信手段による送信完了から前記画像データの表示期限を管理する管理手段と、
前記管理手段により前記表示期限に到ったと判定された場合、前記画像データの基づく表示を消去するための消去命令を生成する消去命令生成手段とを更に備え
前記管理手段により前記表示期限に到ったと判定された場合、前記送信手段は、前記消去命令生成手段により生成された前記消去命令と前記特定情報とを前記表示デバイスに送信すること
を特徴とする請求項４に記載の情報処理システム。
【請求項６】
前記表示デバイスは、
前記画像データを前記格納手段から消去する画像データ消去手段を更に備え、
前記送信手段により前記消去命令と前記特定情報とが送信された場合、前記画像データ消去手段は、当該特定情報により特定される画像データを前記格納手段から消去することを特徴とする請求項５に記載の情報処理システム。
【請求項７】
前記送信手段により前記消去命令と前記特定情報とが送信された場合、前記表示制御手段は、前記特定情報により特定される前記画像データの基づく表示を消去することを特徴とする請求項４に記載の情報処理システム。
【請求項８】
前記画像処理デバイスは、
前記表示デバイスに送信済みの画像データを一覧表示する表示手段と、
前記一覧表示から消去対象画像データを選択する選択手段とを更に備え、
前記消去命令生成手段は、前記選択手段により選択された前記消去対象画像データに基づく表示を消去するための消去命令を生成し、
前記送信手段は、前記消去命令生成手段により生成された前記消去命令と前記消去対象画像データを特定するための特定情報とを前記表示デバイスに送信することを特徴とする請求項５に記載の情報処理システム。
【請求項９】
入力されたデータを画像処理する画像処理デバイスと、当該画像処理デバイスにより画像処理された画像データを表示する表示デバイスと、を含む情報処理システムにおいて実行される情報処理方法であって、
前記画像データを前記表示デバイスに対して送信する場合に、当該画像データの表示期限を制御するための情報を、当該画像データに設定する設定工程と、
前記設定工程により設定された前記表示期限を制御するための情報と、前記画像データとを前記表示デバイスに送信する送信工程と、
前記送信工程により送信された前記表示期限を制御するための情報に基づき、前記送信された画像データの表示期限を管理する管理工程と、
前記管理工程により前記表示期限に到ったと判定された場合、前記画像データの基づく表示を消去する表示制御工程と
を備えることを特徴とする情報処理方法。
【請求項１０】
前記送信工程により送信された前記画像データを格納手段に格納する格納工程と、
前記管理工程により前記表示期限に到ったと判定された場合、前記画像データを前記格納手段から消去する画像データ消去工程と、を更に備えることを特徴とする請求項９に記載の情報処理方法。
【請求項１１】
前記画像データの表示期限を制御するための情報と認証情報を入力するための入力工程と、
前記認証情報が正しいか否かを判定する認証処理工程と、を更に備え、
前記入力工程により入力された前記認証情報が正しいと前記認証処理工程により判定された場合、前記管理工程は、前記入力工程により入力された前記画像データの表示期限を制御するための情報に基づき、前記画像処理デバイスから送信される画像データの表示期限を管理することを特徴とする請求項９または１０に記載の情報処理方法。
【請求項１２】
入力されたデータを画像処理する画像処理デバイスと、当該画像処理デバイスにより画像処理された画像データを表示する表示デバイスと、を含む情報処理システムにおいて実行される情報処理方法であって、
前記画像データを前記表示デバイスに対して送信する場合に、当該画像データを特定するための特定情報を生成する特定情報生成工程と、
前記特定情報生成工程により生成された特定情報と、前記画像データとを前記表示デバイスに送信する送信工程と、
前記送信工程により送信された前記特定情報と、前記画像データとを格納手段に格納する格納工程と、
前記画像データに基づき画像を表示する表示制御工程と
を備えることを特徴とする情報処理方法。
【請求項１３】
前記送信工程による送信完了から前記画像データの表示期限を管理する管理工程と、
前記管理工程により前記表示期限に到ったと判定された場合、前記画像データの基づく表示を消去するための消去命令を生成する消去命令生成工程とを更に備え
前記管理工程により前記表示期限に到ったと判定された場合、前記送信工程は、前記消去命令生成手段により生成された前記消去命令と前記特定情報とを前記表示デバイスに送信することを特徴とする請求項１２に記載の情報処理方法。
【請求項１４】
前記画像データを前記格納手段から消去する画像データ消去工程を更に備え、
前記送信工程により前記消去命令と前記特定情報とが送信された場合、前記画像データ消去工程は、当該特定情報により特定される画像データを前記格納手段から消去することを特徴とする請求項１３に記載の情報処理方法。
【請求項１５】
前記送信工程により前記消去命令と前記特定情報とが送信された場合、前記表示制御工程は、前記特定情報により特定される前記画像データの基づく表示を消去することを特徴とする請求項１２に記載の情報処理方法。
【請求項１６】
前記表示デバイスに送信済みの画像データを一覧表示する表示工程と、
前記一覧表示から消去対象画像データを選択する選択工程とを更に備え、
前記消去命令生成工程は、前記選択手段により選択された前記消去対象画像データに基づく表示を消去するための消去命令を生成し、
前記送信工程は、前記消去命令生成工程により生成された前記消去命令と前記消去対象画像データを特定するための特定情報とを前記表示デバイスに送信することを特徴とする請求項１３に記載の情報処理方法。
【請求項１７】
請求項９乃至１６のいずれかに記載の情報処理方法をコンピュータに実行させることを特徴とするプログラム。
【請求項１８】
請求項１７に記載のプログラムを格納したことを特徴とするコンピュータ可読の記憶媒体。
【発明の詳細な説明】
【技術分野】
【０００１】
本発明は、画像処理をしたデータの表示に時間的な制限をかける情報処理技術に関するものである。
【背景技術】
【０００２】
近年の情報化社会において、携帯情報端末に気軽に電子情報を蓄積し表示することができるようになり、その有効性が広く受け入れられている。一方で、ユーザがデータの消去を怠った端末から個人情報や機密情報が漏洩する危険性が高まっている。
【０００３】
このような課題に鑑み、例えば、特許文献１には、特定のアプリケーションプログラムを使用してネットワーク上の情報をダウンロードしたデータに関しては、アプリケーションプログラム終了時にすべて消去するシステムが考案されている。
【０００４】
また、携帯端末の普及に伴い、新たな情報表示デバイスとして軽量、安価な電子ペーパーの本格的な実用化に向けて開発が進められている。例えば、特許文献２に開示されている電気ペーパーや、非特許文献３に掲載される電子ペーパーが開発されている。また、２枚の基板間に挟まれた分散媒と呼ぶ液体中を粒子が移動する電気泳動現象を利用して文字を表示するようにした電子ペーパーも開発されている。これは、電極に印加する正負を変えることで、液体中の帯電粒子の状態を変えて、外から入射する光の散乱光を表示に利用する反射型パネルを構成するものである。これにＲＧＢのカラーフィルタを組み合わせればフルカラー表示が可能である。このような電子ペーパーは自由に曲がり持ち歩ける紙の利点と、書き換えられるディスプレイの利点を合わせ持っている。
【特許文献１】特開２００２−０２７５４５号公報
【特許文献２】特開平１１−３１６３９７号公報
【非特許文献３】ＡＳＣＩＩ２０００年２月号２２０頁〜２２５頁および３月号２４２頁〜２４７頁
【発明の開示】
【発明が解決しようとする課題】
【０００５】
以上のように情報表示デバイスの一つとして注目される電子ペーパーの普及が予測され、例えば、会議資料の提示目的などのために一時的に多数のユーザに貸し出される場面が想定される。
【０００６】
会議資料などは機密情報を含む場合が多く、会議終了時にはその資料を完全に回収しなければならない場合もある。このようなとき、たとえ資料が持ち出されたとしてもその内容が自動的に消去されればセキュリティ上非常に有効である。本発明は、会議資料の配布が電子ペーパーの貸し出しという形である場合、機密情報の漏洩を防止するシステムを提供することを目的としている。
【課題を解決するための手段】
【０００７】
上記目的を達成するべく、本発明に係る情報処理システムは、
入力されたデータを画像処理する画像処理デバイスと、当該画像処理デバイスにより画像処理された画像データを表示する表示デバイスと、を含む情報処理システムであって、
前記画像処理デバイスは、
前記画像データを前記表示デバイスに対して送信する場合に、当該画像データの表示期限を制御するための情報を、当該画像データに設定する設定手段と、
前記設定手段により設定された前記表示期限を制御するための情報と、前記画像データとを前記表示デバイスに送信する送信手段と備え、
前記表示デバイスは、
前記送信手段により送信された前記表示期限を制御するための情報に基づき、前記送信された画像データの表示期限を管理する管理手段と、
前記管理手段により前記表示期限に到ったと判定された場合、前記画像データの基づく表示を消去する表示制御手段と
を備えることを特徴とする。
【０００８】
あるいは、本発明に係る情報処理システムは、
入力されたデータを画像処理する画像処理デバイスと、当該画像処理デバイスにより画像処理された画像データを表示する表示デバイスと、を含む情報処理システムであって、
前記画像処理デバイスは、
前記画像データを前記表示デバイスに対して送信する場合に、当該画像データを特定するための特定情報を生成する特定情報生成手段と、
前記特定情報生成手段により生成された特定情報と、前記画像データとを前記表示デバイスに送信する送信手段とを備え、
前記表示デバイスは、
前記送信手段により送信された前記特定情報と、前記画像データとを格納する格納手段と、
前記画像データに基づき画像を表示する表示制御手段と
を備えることを特徴とする。
【発明の効果】
【０００９】
本発明に拠れば、電子ペーパーデバイスに表示する画像情報に対して表示を可能にする有効期限（表示期間または表示終了時刻）を設定することで、情報漏洩の危険性を低減することが可能になる。
【発明を実施するための最良の形態】
【００１０】
以下、本発明の好適な実施形態について、添付図面を参照して詳細に説明する。
【００１１】
（第１実施形態）
図１は、本発明の実施形態を適用するのに好適なシステムの構成を示す図である。図１において、１５０は情報処理装置として機能するコンピュータあるいはサーバ等を示しており、データの保存や編集を実行する。デジタル複合機２５０は、原稿を光学的に読み取りデジタル画像データに変換後、プリントアウトするコピー機能を備える。更に、デジタル複合機２５０は、デジタル画像データを、ネットワーク５００を介して外部に送信する機能、外部から受信したデジタル画像データをプリントアウトする機能等を持つ。９００（ａ、ｂ、ｃ）は、電子ペーパーデバイスであり、デジタル画像を表示するための軽量で低消費電力のデバイスであることが好ましい。情報処理装置１５０、デジタル複合機２５０及び電子ペーパーデバイス９００（ａ、ｂ、ｃ）はネットワーク５００に接続し、デジタル画像データやデバイス情報の入出力を行うことが可能である。また、デジタル複合機２５０は、公衆回線（電話回線）６００と接続することで、画像情報やデバイス情報の入出力を行うことも可能である。
【００１２】
図２は、デジタル複合機２５０の構成を示す図であり、図３は、デジタル複合機２５０における制御システムの構成を示すブロック図である。
【００１３】
＜画像入力部（スキャナ）＞
図２において、画像入力デバイスであるスキャナ部２００は、原稿となる紙上の画像を照明し、図示しないＣＣＤラインセンサを走査することで、ラスターイメージデータとして電気信号に変換する。原稿用紙は原稿フィーダ２０１のトレイ２０２にセットされる。ユーザが操作部４００（図３）から読み取り起動指示することにより、コントローラのＣＰＵ１０３（図３）がスキャナ２００に指示を与え、フィーダ２０１は原稿用紙を一枚ずつフィードし原稿画像の読み取り動作を行う。
【００１４】
＜画像出力部（プリンタ）＞
図２において、画像出力デバイスであるプリンタ部３００はラスターイメージデータを用紙上に形成するための画像に変換する。その変換方式は感光体ドラムや感光体ベルトを用いた電子写真方式、微少ノズルアレイからインクを吐出して用紙上に直接画像を印刷するインクジェット方式等があるが、本発明の趣旨はどの方式でも限定されるものではない。
【００１５】
プリント動作の起動はコントローラのＣＰＵ１０３（図３）からの指示によって開始する。プリンタ部３００は、異なる用紙サイズまたは異なる用紙向きを選択できるように複数の給紙段を持ち、それに対応した用紙カセット３０２、３０３、３０４、３０５が装着される。また、排紙トレイ３０６は印刷し終わった用紙を受けるものである。
【００１６】
＜デジタル複合機制御システム構成＞
次に、デジタル複合機２５０の制御システムの構成を図３の参照により具体的に説明する。コントローラ１００は画像入力デバイスであるスキャナ２００や画像出力デバイスであるプリンタ３００と接続する。また、コントローラ１００は、ＬＡＮ等を含むネットワーク５００や公衆回線（電話回線）６００と接続することで、画像情報やデバイス情報の入出力を行うことが可能である。
【００１７】
ＣＰＵ１０３はデジタル複合機２５０の全体を制御するコントローラとして機能する。ＲＡＭ１０７はＣＰＵ１０３が動作するためのシステムワークメモリであり、画像データを一時記憶するための画像メモリとしても利用することが可能である。
【００１８】
ＲＯＭ１０８はブートＲＯＭとして利用され、デジタル複合機２５０のブートプログラムが格納されている。
【００１９】
ＨＤＤ１０９はハードディスクドライブで、システムソフトウェア、画像データ等を格納することが可能である。このＨＤＤ１０９は、ネットワーク５００に接続されているノードに関する画像出力速度、設置位置などの情報をアドレスごとに保存することが可能である。
【００２０】
操作部Ｉ／Ｆ１０４は操作部４００とのインターフェース部であり、操作部４００に表示するための画像データを操作部４００に対して出力する。また、操作部Ｉ／Ｆ１０４は操作部４００からユーザが入力した情報をＣＰＵ１０３に入力する。
【００２１】
ネットワークＩ／Ｆ１０５はネットワーク５００に接続し、情報の入出力を行う。モデム１０６は公衆回線６００に接続し、データ送受信を行うための変調復調処理を行う。
【００２２】
以上のデバイスがシステムバス１０１上に配置される。
【００２３】
イメージバスＩ／Ｆ１１０はシステムバス１０１と画像データを高速で転送するイメージバス１０２とを接続し、データ構造を変換するバスブリッジである。イメージバス１０２は、ＰＣＩバスまたはＩＥＥＥ１３９４などの高速バスで構成することが可能であり、イメージバス１０２上には以下のデバイスが接続される。
【００２４】
ラスターイメージプロセッサ（ＲＩＰ）１１１はＰＤＬコードをビットマップイメージに展開する。デバイスＩ／Ｆ部１１２は、画像入出力デバイスであるスキャナ２００やプリンタ３００とコントローラ１００とを接続し、画像データの同期系／非同期系の変換を行う。スキャナ画像処理部７００は、入力画像データに対し補正、加工、編集を行う。プリンタ画像処理部８００は、プリント出力画像データに対して、プリンタに合わせた補正、解像度変換等を行う。画像圧縮部１１５は、多値画像データはＪＰＥＧ、２値画像データはＪＢＩＧ、ＭＭＲ、ＭＨの圧縮伸張処理を行う。
【００２５】
＜スキャナ画像処理部＞
次に、スキャナ画像処理部７００の構成を図４の参照により説明する。
【００２６】
画像バスＩ／Ｆコントローラ７０１はイメージバス１０２と接続し、そのバスアクセスシーケンスを制御する。また、画像バスＩ／Ｆコントローラ７０１はスキャナ画像処理部７００内の各デバイスの制御及びデバイス間の動作タイミングを制御する。
【００２７】
テーブル処理部７０２は、読み取った輝度データのスキャナ特性を考慮して補正をするためのテーブル変換を行う。像域分離処理部７０３は、入力画像から文字部を検出することにより、像域を判定し、その後の画像処理に利用する像域信号を生成する。フィルタ処理部７０４は、エッジ強調などの目的に従ったデジタル空間フィルタでコンボリューション演算を行う。下地レベル検出部７０５は、画像１ページ内の画素値の頻度を集計し、背景に薄い色がある原稿を読み取った画像データ等が送られてきた場合に除去すべき下地レベルを検出する。編集部７０６は、例えば、入力画像データからマーカーペンで囲まれた閉領域を認識して、その閉領域内の画像データに対して、影つけ、網掛け、ネガポジ反転等の画像加工処理を行う。
【００２８】
処理が終了した画像データは、再び画像Ｉ／Ｆバスコントローラ７０１を介して、イメージバス１０２上に転送される。
【００２９】
＜プリンタ画像処理部＞
次に、プリンタ画像処理部８００の構成を図５の参照により説明する。
【００３０】
画像バスＩ／Ｆコントローラ８０１はイメージバス１０２と接続し、そのバスアクセスシーケンスを制御する。また、画像バスＩ／Ｆコントローラ８０１はプリンタ画像処理部８００内の各デバイスの制御及びデバイス間の動作タイミングを制御する。
【００３１】
下地除去処理部８０２は、上記下地レベル検出部７０５で検出された下地レベルを基に、背景色を除去する。色変換処理部８０３は、プリンタの出力特性にに合わせた色変換を行う。解像度変換部８０４はネットワーク５００あるいは公衆回線６００から受信した画像データをプリンタ３００の解像度に変換するための解像度変換を行う。スムージング処理部８０５は、解像度変換後の画像データのジャギーを滑らかにする処理を行う。
【００３２】
＜操作部＞
次に、操作部４００の説明を図６及び図７の参照により説明する。液晶操作パネル４０１は液晶にタッチパネルを組み合わせたものであり、設定内容の表示、ソフトキーの表示等がなされるものである。スタートキー４０２はコピー動作等を開始指示するためのハードキーであり、内部に緑色および赤色のＬＥＤが組み込まれており、スタート可能のときに緑色、スタート不可のときに赤色のＬＥＤが点灯する。ストップキー４０３は動作を停止させるときに使用するハードキーである。ハードキー群４０４には、テンキー、クリアキー、リセットキー、ガイドキー、ユーザモードキーが設けられている。
【００３３】
図７は、液晶操作パネル４０１に通常表示される送信画面を示す図である。機能選択ボタン（４２０〜４２３）によって、コピー、送信、ボックス操作、拡張機能のうち利用する機能を選択することができる。図７に示す状態は、送信機能が選択されている状態を示している。
【００３４】
宛先表示領域４２４には、現在設定されている送信先が表示される。
【００３５】
宛先表から検索ボタン４２５は、予め機器内に保存されている宛先表またはネットワーク上で参照できる場所に保存されている宛先表から、送信先を選択する場合に押下されるボタンである。
【００３６】
詳細情報ボタン４２６は、宛先表示領域４２４に表示されている宛先のうち一つを選択状態にした上で押下されるボタンであり、詳細情報ボタン４２６の押下により選択された宛先の詳細情報が表示される。
【００３７】
消去ボタン４２７は、宛先表示領域４２４に表示されている宛先のうち一つを選択状態にした上で押下されるボタンであり、消去ボタン４２７の押下により選択されていた宛先の情報が消去される。
【００３８】
コールボタン４２８は、以前操作した送信機能の設定を呼び出すためのボタンである。
【００３９】
新規宛先ボタン４２９、ワンタッチボタン４３６及び定型業務ボタン４３７はいずれか一つのみ選択可能であり、図７では新規宛先が選択された状態を示している。
【００４０】
ファクスボタン４３０、電子メールボタン４３１、Iファクスボタン４３２、ファイルボタン４３３、ボックスに保管ボタン４３４、電子ペーパーボタン４３５が押下されると、宛先設定を直接入力できる画面に切り替わる。そして、その画面で宛先を設定しＯＫボタンを押下すると、設定した宛先が宛先表示領域４２４に追加される。読み込み設定表示領域４３８は、現在設定されている読み込み解像度、カラーモード、原稿タイプが表示される。ファイル形式表示領域４３９は現在設定されている送信時ファイル形式が表示される。送信設定ボタン４４０は、送信の詳細な設定を行うときに使用するものであり、押下すると送信の詳細設定のための画面が表示される。
【００４１】
＜電子ペーパーデバイス＞
図８Ａは、電子ペーパーデバイス９００（ａ、ｂ、ｃ）が有する制御部８５０の構成を示すブロック図である。データ受信処理部８５６はデジタル複合機２５０から送信された画像データおよび画像データの表示時間制限に関して設定されたデータ（表示時間設定データ）の受信処理を行う。タイマー８５１は、デジタル複合機２５０から送信された画像データおよび表示時間設定データの受信処理に基づき起動して、時間の計測を行う。電子ペーパーデバイス（ａ、ｂ、ｃ）が受信した画像データは、画像データ記憶部８５３に格納される。表示時刻管理部８５２は受信した表示時間設定データ及びタイマー８５１の計測値に基づいて、格納された画像データを表示するための時間の管理を行う。表示時刻管理部８５２は、タイマー８５１により計測される時刻に従い、設定された有効期限（表示期間または表示終了時刻）に到達したか否かの判定を行う。電子ペーパーデバイス９００（ａ、ｂ、ｃ）が受信した画像データは、表示制御部８５５の表示制御の下、設定された表示期間または表示終了時刻に到達するまで表示部９２０に表示される。
【００４２】
表示時刻管理部８５２が設定された表示期間または表示終了時刻に到ったと判定した場合、この判定結果に従い、画像データ消去部８５４は、画像データ記憶部８５３に格納されている画像データを消去する。また、表示制御部８５５は、画像データに基づいて表示部９２０に表示されている画面を消去（画面クリア）するように表示を制御する。
【００４３】
図８Ｂは、ＥＰＤ（電気泳動現象を利用したディスプレイ）方式の表示部９２０について示す図である。これは、２枚のプラスチックフィルムの間に帯電したトナーを封じ込めて、トナーの面内分布を電気的に変化させて画像を形成するというものである。表示部９２０は、ＴＦＴ部９２２、接着剤層９２３、カプセル化したディスプレイ媒体９２４、および樹脂素材９２６を備える。ＴＦＴ部９２２がディスプレイ媒体９２４に電場を印加すると、ディスプレイ媒体９２４内の帯電したトナーは極性に応じてどちらかの電極上に静電吸着し、その表面を被う。ここで一方の電極を面積の小さな黒色、他方を面積の大きな白色にしておくことで、コントラストを発生させて画像を形成するという仕組みである。なお、画像形成後、電気を切っても電極表面に吸着されたトナーはその状態を保持するため、表示画像には不揮発性がある。電気泳動の詳細は、図１１で説明する。
【００４４】
図９および図１０は、ＴＦＴ部９２２の実現方法を示す図であり、「特登録２５４７３１４  液晶表示装置の駆動回路」の中で説明されている表示領域に配置された各絵素にスイッチング素子を付加したマトリックス型表示装置の駆動回路を示すものである。
【００４５】
図９はマトリックス型表示装置の基本的なブロック回路を示す回路構成図であり、図１０は行・列電極に加えられる信号波形の一例を示すタイミング波形図である。
【００４６】
図９において、９１１は表示パネルであり直交する方向に多数本配列された行電極９１１−ａと、列電極９１１−ｂとの各交点でスイッチングトランジスタ９１１−ｃが形成される。スイッチングトランジスタ９１１−ｃのゲート電極が行電極９１１−ａに、ソース電極が列電極９１１−ｂに、ドレイン電極がマトリックス状に配置された表示絵素電極にそれぞれ接続されることにより構成されている。
【００４７】
９１２は行電極駆動回路であり、図１０に示すＰｓのような走査パルスを各行電極に出力する。９１３は列電極駆動回路であり、図１０に示すＰＤのような表示内容に対応したデータ波形を各列電極に出力する。
【００４８】
９１４は行および列電極駆動回路を動作させるための制御回路であり、さらにタイマー制御、画像展開を実行するための制御機能を有する。９１５はメモリであり、表示対象となる画像データを記憶することが可能である。
【００４９】
このような表示装置において、走査パルスＰｓにより表示領域のある行が選択されスイッチングトランジスタ９１１−ｃがオン状態となる。そして、データ波形ＰＤのその行に対応する電圧がスイッチングトランジスタ９１１−ｃを介して表示絵素電極に供給され、表示絵素電極とこれに対向する対向電極間に位置する電子ディスプレイ媒体９１１−ｄに電圧が印加される。
【００５０】
次に、この行が非選択となるとスイッチングトランジスタはオフ状態となる。そして、表示絵素電極と列電極は切り離されるため、電子ディスプレイ媒体９１１−ｄに印加されていた電圧はデータ波形の影響を受けることなくそのまま保持される。これが行方向に順次反復されることにより、クロストークのない鮮明な表示パターンが得られる。
【００５１】
図１１Ａ−Ｄは、ディスプレイ媒体２４の仕組みを説明する図である。
【００５２】
図１１Ａは電気泳動ディスプレイ１３０を示す図である。バインダ１３２は、複数の粒子１３６および染色懸濁流体１３８が充填された少なくとも１つのカプセル１３４を含む。本実施形態において、粒子１３６はチタニア粒子である。適切な極性の直流電界がカプセル１３４に印加される場合、粒子１３６がディスプレイの視覚面へと移動して、光を散乱する。印加された電界が逆転される場合には、粒子１３６はディスプレイの背面に移動し、そしてディスプレイの視覚面は、暗く見える。
【００５３】
図１１Ｂは別の電気泳動ディスプレイ１４０を示す図である。このディスプレイは、第１のセットの粒子１４２および第２のセットの粒子１４４をカプセル１４１内に含む。第１のセットの粒子１４２および第２のセットの粒子１４４は、対照をなす光学特性を有する。例えば、第１のセットの粒子１４２および第２のセットの粒子１４４は、異なる電気泳動移動度を有し得る。加えて、第１のセットの粒子１４２および第２のセットの粒子１４４は、対照をなす色を有し得る。例えば、第１のセットの粒子１４２は白で、第２のセットの粒子１４４は黒であり得る。カプセル１４１は実質的に透明な流体をさらに含む。カプセル１４１は、カプセル１４１を隣接して堆積された電極１４６および１４６’を有する。電極１４６、１４６’は、電圧源４８に接続されており、カプセル１４１に交流（ＡＣ）電界または直流（ＤＣ）電界を提供し得る。電極１４６、１４６’に電界を印加する際に、第１のセットの粒子１４２は電極１４６’に向かって移動するが、第２のセットの粒子１４４は電極１４６に向かって移動する。
【００５４】
図１１Ｃは懸濁粒子ディスプレイ１５０を示す。懸濁粒子ディスプレイ１５０は、透過な流体１５４中に針状の粒子１５２を含む。粒子１５２は、電極１５６、１５６’にＡＣ電界を印加する際に、方向を変える。ＡＣ電界が印加されると、粒子１５２は表示面に対して垂直に方向付けされて、ディスプレイは透明に見える。ＡＣ電界が取り除かれると、粒子１５２は不規則に方向付けられて、ディスプレイ１５０は不透明に見える。
【００５５】
尚、図１１Ａ〜図１１Ｃにより提供される電気泳動ディスプレイに本発明の趣旨は限定されるものではなく、他の電気泳動ディスプレイを適用することが可能であることは言うまでもない。電気泳動ディスプレイの他の例として、共有に係わる同時係属中の米国特許出願シリアル番号０８／９３５，８００および０９／１４０，７９２で説明されている電気泳動ディスプレイを適用することも可能である。
【００５６】
また、表示媒体として、図１１Ｄに示されるような複数の重クロム球体を含み得る。重クロム球体１６０は通常、第１の色の正に帯電された半球１６２および第２の色の負に帯電された半球１６４を液状媒体１６６内に含む。電極１６８、１６８’のペアを介して球体１６０中に電界を印加する際に、球体１６０は、回転して２つの半球１６２、１６４のうち１つの色を表示する。
【００５７】
＜画像表示期限設定処理＞
図１２は、ユーザがデジタル複合機２５０で原稿を読み取り、その電子情報を電子ペーパーデバイス９００（ａ、ｂ、ｃ）に送信する処理の流れを説明するフローチャートである。
【００５８】
ステップＳ１２１で原稿をスキャナ部２００のトレイ２０２にセットする。ステップＳ１２２で送信宛先を設定する。この場合は、画像を表示させるための電子ペーパーデバイスを宛先に選択する。指定方法は、電子ペーパーデバイス自身がＩＰアドレスを持つ場合、ＩＰアドレスを指定する。また、デジタル複合機と電子ペーパーデバイスとを直接、ＩＥＥＥ１３９４ケーブルやＵＳＢケーブルまたはシリアルケーブル等で接続する場合はそのポートを指定する。
【００５９】
ステップＳ１２３において、後に詳述する時間制限設定操作を行い、ステップＳ１２４において、その他の画像処理等の設定を行う。ここで設定できる機能の例としては、原稿の特性に適した処理を行うために、文字モード、文字写真モードがある。また、写真モードから選択する原稿タイプ、生成デジタル画像の濃度を調整する機能、画像の鮮明さを調整するためのシャープネス、原稿の紙の色を除去するための地肌除去機能等がある。
【００６０】
以上すべての設定をした後、ステップＳ１２５において、スタートボタンを押下すると、原稿のスキャンが開始される。
【００６１】
図１３は、図１２の操作を行うための操作画面４５０を例示する図である。宛先表示欄４５１には現在指定されている宛先が一覧で表示される。宛先入力ボタン４５２を押下すると、ここでは図示しない宛先入力画面に遷移し、宛先入力が可能になる。消去ボタン４５３は、既に指定している宛先から、選択されているものを消去する場合に使用する。表示時間制限設定ボタン４５４は後述する表示時間制限設定を行うときに使用する。表示時間制限設定欄４５５は現在指定されている表示時間制限を表示する。ＯＫボタン４５６はこの画面で行う設定を有効にして画面を閉じる際に押下する。キャンセルボタン４５７はこの画面で行う設定を無効にして画面を閉じる際に押下する。
【００６２】
＜時間制限設定操作＞
図１４は、図１２のステップＳ１２３における時間制限設定操作の処理の流れを詳細に説明するフローチャートである。電子ペーパーデバイスに画像を表示する期間または表示終了時刻を設定するために、まずステップＳ１４１において表示期間設定か表示終了時刻設定かを選択する。時間制限設定操作（図１２のＳ１２３）の実行時において、図１５に示す表示時間制限設定画面が表示される。ステップＳ１４１における選択は、図１５に示す表示時間制限設定画面４６０内のラジオボタン４６１および４６２のどちらかを有効にすることで可能である。表示期間設定を選択した場合、処理はステップＳ１４２に進められる。ステップＳ１４２において、表示時間制限設定画面４６０内のラジオボタン４６２を選択して、設定欄４６３に数値を入力して表示期間の設定を行う。一方、表示終了時刻設定を選択した場合、処理はステップＳ１４３に進められる。ステップＳ１４３において、表示時間制限設定画面４６０内のラジオボタン４６１を選択して、設定欄４６３に数値を入力して表示終了時刻の設定を行う。
【００６３】
ステップＳ１４４において、設定確認画面を表示して設定内容を確認する。設定内容が正しければ（Ｓ１４５−ＹＥＳ）、ＯＫボタン４６４を押下すると、表示時間制限の設定は完了する。ここで設定された表示時間制限に関するデータが表示時間設定データとなる。表示時間制限の設定が完了すると、操作設定画面４５０内の表示時間制限設定欄４５５（図１３）にその内容が表示される。
【００６４】
一方、キャンセルボタン４６５を押下すると表示時間制限設定は無効になり処理はステップＳ１４１に戻され、再び表示期間または表示終了時刻の選択等を行う。
【００６５】
＜画像表示期限実行処理＞
以上の設定を行った後、操作部４００のスタートボタン４０２が押下されると、原稿のスキャンが開始される。そして、原稿のスキャンにより読み取られたデータは送信画像フォーマットに変換され、変換された画像データおよび表示時間設定データが電子ペーパーデバイスに送信される。
【００６６】
図１６は、電子ペーパーデバイス９００（ａ、ｂ、ｃ）が、デジタル複合機２５０から送信された画像データおよび表示時間設定データを受信した後に開始する表示時間制御の流れを説明するフローチャートである。
【００６７】
まず、ステップＳ１６１において、画像データ等の受信に基づきタイマー８５１が起動する。表示時刻管理部８５２は受信した表示時間設定データに基づいて、画像データの表示を制御する。
【００６８】
ステップＳ１６２において、表示時刻管理部８５２が表示時間設定データの基づき表示終了時刻に達したか否かを監視する。
【００６９】
ステップＳ１６３において、表示時刻管理部８５２が設定された表示期間または表示終了時刻に到ったと判定した場合、表示制御部８５５は、電子ペーパーデバイスに表示されている画面を消去するように表示を制御する。また、画像データ消去部８５４は、画像データ記憶部８５３に格納されている画像データを消去して、処理を終了する。
【００７０】
以上説明したとおり、本実施形態によれば、電子ペーパーデバイスに表示する画像情報に対して表示を可能にする有効期限（表示期間または表示終了時刻）を設定することで、情報漏洩の危険性を低減することが可能になる。
【００７１】
あるいは、本実施形態によれば、電子ペーパーデバイスに表示する画像情報に対して表示を可能にする有効期限を設けることで、個々の電子ペーパーデバイスに対して機密情報の消去操作が不要となる。
【００７２】
（第２実施形態）
第１実施形態ではデジタル複合機２５０から電子ペーパーデバイスに表示するための画像データを送信する際に、デジタル複合機２５０側で表示時間設定データを付加する構成を説明した。本実施形態では、受信した画像データの表示期間制限を、個々の電子ペーパーデバイスに対して管理者が設定する構成を説明する。
【００７３】
図１７は、電子ペーパーデバイス９００に対して、表示時間制限の設定を行う設定用端末９５０が接続した状態を示す図である。ここで、設定用端末９５０は専用端末、または設定用のソフトウェアを実行可能な情報処理装置（ＰＣ）であっても良い。更に、設定用端末９５０に代わり設定用ソフトウェアを実行可能なデジタル複合機２５０であっても良い。
【００７４】
設定端末９５０を使用して、管理者は、電子ペーパーデバイス９００で画像データの表示を可能にする有効期限（表示期間または表示終了時刻設定）の設定を行う。この設定は、例えば、図１５に示した表示時間制限設定画面を設定端末９５０に表示させることで行うことができる。
【００７５】
設定の際、管理者は、管理者であることを証明するための認証情報（例えば、管理者個人を特定するための指紋等の識別情報やパスワード）を入力する。設定端末９５０で設定された表示時間制限に関する情報（表示時間設定データ）と認証情報とに基づいて、電子ペーパーデバイス９００に表示時間設定データが設定される。
【００７６】
図１８Ａは、本実施形態に係る電子ペーパーデバイス９００が有する制御部１８５０の構成を示すブロック図である。第１実施形態において説明した図８Ａの構成と同一の要素に関しては同一の参照番号を付している。同一の参照番号の要素に関しては重複を避けるため説明を省略する。
【００７７】
データ受信処理部１８５６は、設定端末９５０で設定された表示時間設定データ及び認証情報とデジタル複合機２５０から送信される画像データの受信処理を行う。認証処理部１８５７は、設定端末９５０において設定された認証情報と、予め設定されている管理者の真正な認証情報とを比較して、設定端末９５０で設定された認証情報が正しいものか判定する。
【００７８】
図１８Ｂは、電子ペーパーデバイス９００における制御部１８５０が表示時間設定データと認証情報を受信した際の処理の流れを説明するフローチャートである。
【００７９】
ステップＳ１８０１において、認証処理部１８５７は、設定端末９５０で設定された認証情報が正しいか否かについて、真正な認証情報との比較により判定する。ここで、認証処理部１８５７が設定端末９５０で設定された認証情報が正しいと判定した場合、処理はステップＳ１８０２に進められる。
【００８０】
ステップＳ１８０２において、設定端末９５０で設定された表示時間設定データが不図示のメモリに保存され、表示時間設定データが電子ペーパーデバイスに設定される。表示時間設定データの設定に従い、タイマー８５１が起動し、表示時刻管理部８５２は設定された表示時間設定データ及びタイマー８５１の計測値に基づいて、格納された画像データを表示するための時間の管理を行う。
【００８１】
そして、ステップＳ１８０３において、データ受信処理部１８５６は、表示時間設定が正常に行われたことを示す情報を設定端末９５０に送信して処理を終了する。
【００８２】
一方、ステップＳ１８０１において、設定端末９５０で設定された認証情報が、認証処理部１８５７により正しくない（ＮＧ）と判定された場合、処理はステップＳ１８０４に進められる。ステップＳ１８０４において、データ受信処理部１８５６は、設定端末９５０に対して、認証情報が正しくないことと、設定が正常に終了しないことを示す情報とを送信する。
【００８３】
表示時間設定データの設定が正常に行われた電子ペーパーデバイス９００に対して画像データが送信された場合、画像データは、第１実施形態で説明したのと同様に処理される。すなわち、電子ペーパーデバイスにより受信された画像データは、画像データ記憶部８５３に格納される。表示時刻管理部８５２は、タイマー８５１により計測される時刻に従い、設定された表示期間または表示終了時刻に到達したか否かの判定を行う。画像データは、表示制御部８５５の表示制御の下、設定された表示期間または表示終了時刻に到達するまで表示部９２０に表示される。
【００８４】
表示時刻管理部８５２が設定された表示期間または表示終了時刻に到ったと判定した場合、この判定結果に従い、画像データ消去部８５４は、画像データ記憶部８５３に格納されている画像データを消去する。また、表示制御部８５５は、画像データに基づいて表示部９２０に表示されている画面を消去（画面クリア）するように表示を制御する。
【００８５】
以上説明したとおり、本実施形態によれば、電子ペーパーデバイスに表示する画像情報に対して表示を可能にする有効期限（表示期間または表示終了時刻）を設定することで、情報漏洩の危険性を低減することが可能になる。
【００８６】
あるいは、本実施形態によれば、電子ペーパーデバイスに表示する画像情報に対して表示を可能にする有効期限を設けることで、個々の電子ペーパーデバイスに対して機密情報の消去操作が不要となる。
【００８７】
（第３実施形態）
先の第１及び第２実施形態では、電子ペーパーデバイス側にタイマー８５１が設けられていた構成を説明したが、本実施形態では、タイマーをデジタル複合機２５０側に設けて表示時刻の管理を行う構成について説明する。
【００８８】
本実施形態では電子ペーパーデバイスが常にデジタル複合機２５０からのデータを受信できる状態であることを前提する。例えば、電子ペーパーデバイス、デジタル複合機２５０の双方ともに、Ｂｌｕｅｔｏｏｔｈ等の無線通信手段を有することが望ましい。
【００８９】
デジタル複合機２５０から電子ペーパーデバイスに表示用の画像データを送信する際、表示時間制限を設定するユーザの操作手順は第１実施形態と同様である。
【００９０】
図１９Ａは、第３実施形態のシステムにおいて、電子ペーパーデバイスに送信されるデータ構造５５０を示す図である。データ構造５５０は、表示用の画像データ５５２に、ＣＰＵ１０３の制御の下に発生させたシリアル番号５５１が付加されたものである。
【００９１】
シリアル番号５５１は、１回の送信処理につき１種類発生されるものであり、シリアル番号５５１は、コントローラ１００内のＣＰＵ１０３で乱数発生処理および演算の実行により求めることが可能である。シリアル番号に基づいて画像データ５５２を特定することができる。
【００９２】
図１９Ｂは、本実施形態に係る電子ペーパーデバイス９００が有する制御部１９５０の構成を示すブロック図である。第１実施形態において説明した図８Ａの構成と同一の要素に関しては同一の参照番号を付している。同一の参照番号の要素に関しては重複を避けるため説明を省略する。
【００９３】
データ受信処理部１９５６は、デジタル複合機２５０が送信されるデータ構造５５０の受信処理を行う。データ受信処理部１９５６により受信処理されたデータ構造５５０（シリアル番号５５１及び画像データ５５２）は、データ記憶部１９５３に格納される。そして、格納された画像データ５５２は、表示制御部８５５の制御の下、表示部９２０に表示される。
【００９４】
一方、デジタル複合機２５０におけるＣＰＵ１０３の制御の下、データ構造５５０の送信完了時からタイマーの計測が開始される。また、ＣＰＵ１０３は、設定された表示時間設定データ及びタイマーの計測値に基づいて、電子ペーパーデバイスにより画像データを表示するための時間の管理を行う。
【００９５】
設定された有効期限（表示期間または表示終了時刻）に到達したと、ＣＰＵ１０３が判定した場合、ＣＰＵ１０３の制御の下、図２０に示すようなデータ構造５６０（消去命令）が生成され、電子ペーパーデバイスに対して送信される。
【００９６】
図２０のデータ構造５６０は、クリア命令５６１とシリアル番号５５１を含む構造になっている。このシリアル番号５５１は、先に送信した画像データ５５２に付加されたシリアル番号５５１と同一のものである。
【００９７】
データ受信処理部１９５６により、データ構造５６０が受信処理されると、画像データ消去部８５４は、データ構造５６０からシリアル番号５５１を読み出す。そして、画像データ消去部８５４は、シリアル番号５５１に基づいてデータ記憶部１９５３に格納されている画像データ５５２を特定し、消去する。また、表示制御部８５５は、画像データ５５２に基づいて表示部９２０に表示されている画面を消去（画面クリア）するように表示を制御する。
【００９８】
デジタル複合機２５０は、データ構造５６０（消去命令）を送信すると同時に、ＣＰＵ１０３の制御の下、液晶操作パネル４０１上にシリアル番号５５１と、消去命令送信時刻を表示し、ユーザに明示する。その際、消去対象となる画像データの概要を示すための画像情報を液晶操作パネル４０１上に表示することも可能である。
【００９９】
以上説明したとおり、本実施形態によれば、電子ペーパーデバイスに表示する画像情報に対して表示を可能にする有効期限（表示期間または表示終了時刻）を設定することで、情報漏洩の危険性を低減することが可能になる。
【０１００】
あるいは、本実施形態によれば、電子ペーパーデバイスに表示する画像情報に対して表示を可能にする有効期限を設けることで、個々の電子ペーパーデバイスに対して機密情報の消去操作が不要となる。
【０１０１】
（第４実施形態）
第３実施形態の構成においては画像データの消去をタイマーによる時間の計測により自動的に行っていたが、タイマーによる時間の計測によらず、ユーザによる手動の操作により画像データを必要最小限のタイミングで消去することも可能である。
【０１０２】
図２１は、液晶操作パネル４０１に表示される消去操作を行うための操作画面４７０を例示する図である。操作画面４７０には、消去対象画像一覧４７１と、画像データの消去を実行する際に押下する消去ボタン４７２、選択を確定するためのＯＫボタン４７３、選択を取り消すキャンセルボタン４７４が配置される。
【０１０３】
消去対象画像一覧４７１には、画像データの送信時に設定した名称（書類１、２、・・・）、送信時に画像データに付加されたシリアル番号、送信時刻、画像データの管理者名が表示されている。ユーザはこの一覧から、消去すべきものを選択し、消去ボタン４７２を押下する。ＯＫボタン４７３が押下されると選択が確定し、キャンセルボタン４７４が押下されると、消去ボタン４７２による選択が取り消される。
【０１０４】
ＯＫボタン４７３の押下により消去の対象となる画像データの選択が確定すると、ＣＰＵ１０３の制御の下、図２２に示す画像消去実行画面４８０が液晶操作パネル４０１上に表示される。この画像消去実行画面４８０には、画像送信時に設定した名称、シリアル番号、送信時刻、管理者名が表示され、更にパスワード入力欄４８１、消去実行ボタン４８２、キャンセルボタン４８３が配置されている。ここで、キャンセルボタン４８３が押下されると消去ボタン４７２による選択が取り消される。
【０１０５】
消去を実行する際に、第３実施形態で説明したデータ構造５５０の送信時にパスワード設定した場合は、パスワード入力欄４８１に設定したパスワードを入力する。パスワードを設定していない場合は空欄のまま、消去実行ボタン４８２を押下する。消去実行ボタン４８２の押下により、ＣＰＵ１０３は、第３実施形態で説明した画像データを消去するためのデータ構造５６０（消去命令）を生成し、所定の電子ペーパーデバイス９００に対して図２０に示すデータ構造５６０（消去命令）を送信する。
【０１０６】
データ構造５６０（消去命令）が電子ペーパーデバイス９００のデータ受信処理部１９５６（図１９Ｂ）により受信処理されると、画像データ消去部８５４は、データ構造５６０からシリアル番号５５１を読み出す。そして、画像データ消去部８５４は、シリアル番号５５１に基づいてデータ記憶部１９５３に格納されている画像データ５５２を特定し、消去する。また、図１９Ｂに示す表示制御部８５５は、画像データ５５２に基づいて表示部９２０に表示されている画面を消去（画面クリア）するように表示を制御する。
【０１０７】
以上説明したとおり、本実施形態によれば、必要最小限のタイミングで画像データの消去を実行することにより、情報漏洩の危険性を低減することが可能になる。
【０１０８】
尚、第１乃至第４実施形態では、紙状の原稿をデジタル複合機２５０で読み取ってデジタル画像データに変換したものを電子ペーパーデバイスに送信する場合について説明した。しかしながら、実際には、送信可能な画像データは、デジタル複合機２５０が有するハードディスク１０９内に記憶されている画像データであってもよい。また、ネットワーク５００上に存在するデータ等をデジタル複合機２５０が加工して電子ペーパーデバイス９００に送信する場合であっても、同様の処理が可能であることは言うまでもない。
【０１０９】
（他の実施形態）
なお、本発明の目的は、前述した実施形態の機能を実現するソフトウェアのプログラムコードを記録した記憶媒体を、システムあるいは装置に供給することによっても、達成されることは言うまでもない。また、システムあるいは装置のコンピュータ（またはＣＰＵやＭＰＵ）が記憶媒体に格納されたプログラムコードを読出し実行することによっても、達成されることは言うまでもない。
【０１１０】
この場合、記憶媒体から読出されたプログラムコード自体が前述した実施形態の機能を実現することになり、そのプログラムコードを記憶した記憶媒体は本発明を構成することになる。
【０１１１】
プログラムコードを供給するための記憶媒体としては、例えば、フレキシブルディスク、ハードディスク、光ディスク、光磁気ディスク、ＣＤ−ＲＯＭ、ＣＤ−Ｒ、不揮発性のメモリカード、ＲＯＭなどを用いることができる。
【０１１２】
また、コンピュータが読出したプログラムコードを実行することにより、前述した実施形態の機能が実現される。また、プログラムコードの指示に基づき、コンピュータ上で稼働しているＯＳ（オペレーティングシステム）などが実際の処理の一部または全部を行い、その処理によって前述した実施形態が実現される場合も含まれることは言うまでもない。
【図面の簡単な説明】
【０１１３】
【図１】本発明の実施形態に係るシステムの構成を示す図である。
【図２】本実施形態に係るデジタル複合機の構成を示す図である。
【図３】本実施形態に係るデジタル複合機における制御システムの構成を示すブロック図である。
【図４】スキャナ画像処理部の構成を示す図である。
【図５】プリンタ画像処理部の構成を示す図である。
【図６】デジタル複合機の操作部を説明する図である。
【図７】液晶操作パネルに通常表示される送信画面を例示する図である。
【図８Ａ】電子ペーパーデバイスが有する制御部の構成を示すブロック図である。
【図８Ｂ】ＥＰＤ（電気泳動現象を利用したディスプレイ）方式の表示部について示す図である。
【図９】ＴＦＴ部の実現方法でスイッチングトランジスタを付加したマトリックス型表示装置のブロック図である。
【図１０】ＴＦＴ部の実現方法でスイッチングトランジスタを付加したマトリックス型表示装置の駆動波形を示す図である。
【図１１Ａ】電子ディスプレイ媒体を説明する図である。
【図１１Ｂ】電子ディスプレイ媒体を説明する図である。
【図１１Ｃ】電子ディスプレイ媒体を説明する図である。
【図１１Ｄ】電子ディスプレイ媒体を説明する図である。
【図１２】デジタル複合機で原稿を読み取り、その電子情報を電子ペーパーデバイスに送信する処理の流れを説明するフローチャートである。
【図１３】図１２の操作を行うための操作画面を例示する図である。
【図１４】図１２のステップＳ１２３における時間制限設定操作の処理の流れを詳細に説明するフローチャートである。
【図１５】表示時間制限設定画面を例示する図である。
【図１６】電子ペーパーデバイスが、デジタル複合機から送信された画像データおよび表示時間設定データを受信した後に開始する表示時間制御の流れを説明するフローチャートである。
【図１７】電子ペーパーデバイスに対して、表示時間制限の設定を行う設定用端末が接続した状態を示す図である。
【図１８Ａ】第２実施形態に係る電子ペーパーデバイスが有する制御部の構成を示すブロック図である。
【図１８Ｂ】電子ペーパーデバイスにおける制御部が表示時間設定データと認証情報を受信した際の処理の流れを説明するフローチャートである。
【図１９Ａ】第３実施形態のシステムにおいて、電子ペーパーデバイスに送信されるデータ構造を示す図である。
【図１９Ｂ】第３実施形態に係る電子ペーパーデバイスが有する制御部の構成を示すブロック図である。
【図２０】データ構造（消去命令）を示す図である。
【図２１】液晶操作パネルに表示される消去操作を行うための操作画面を例示する図である。
【図２２】液晶操作パネル上に表示される画像消去実行画面を例示する図である。
【図１】
2007122377.tif 000003
【図２】
2007122377.tif 000004
【図３】
2007122377.tif 000005
【図４】
2007122377.tif 000006
【図５】
2007122377.tif 000007
【図６】
2007122377.tif 000008
【図７】
2007122377.tif 000009
【図８Ａ】
2007122377.tif 000010
【図８Ｂ】
2007122377.tif 000011
【図９】
2007122377.tif 000012
【図１０】
2007122377.tif 000013
【図１１Ａ】
2007122377.tif 000014
【図１１Ｂ】
2007122377.tif 000015
【図１１Ｃ】
2007122377.tif 000016
【図１１Ｄ】
2007122377.tif 000017
【図１２】
2007122377.tif 000018
【図１３】
2007122377.tif 000019
【図１４】
2007122377.tif 000020
【図１５】
2007122377.tif 000021
【図１６】
2007122377.tif 000022
【図１７】
2007122377.tif 000023
【図１８Ａ】
2007122377.tif 000024
【図１８Ｂ】
2007122377.tif 000025
【図１９Ａ】
2007122377.tif 000026
【図１９Ｂ】
2007122377.tif 000027
【図２０】
2007122377.tif 000028
【図２１】
2007122377.tif 000029
【図２２】
2007122377.tif 000030